(57)【要約】【課題】変倍方式の違いによる画質への影響度をユーザが考慮することなく、読取り条件によって容易に適切な変倍方式を選択できるようにすることで、特定の原稿読取条件下での読取り生産性の向上及び片面読取りと両面読取りの画質差低減の両立を実現する画像処理装置を提供する。【解決手段】自動原稿搬送装置を有し、原稿の両面の画像データを１回の原稿搬送で同時に読取る読取位置固定の画像処理装置であって、入力を受付ける操作手段と、片面読取及び両面読取の際に、原稿の表面の画像データを読取る第１の読取手段と、両面読取の際に、原稿の裏面の画像データを読取る第２の読取手段と、を有する。第１の読取手段及び第２の読取手段は、両面読取の場合には、同じ変倍方式を選択し、第１の読取手段は、原稿読取条件に基づいて、片面読取の場合と両面読取の場合とで変倍方式を変更する。【選択図】図２
2010114578.tif 000002
【特許請求の範囲】
【請求項１】
自動原稿搬送装置を有し、原稿の両面の画像データを１回の原稿搬送で同時に読取る読取位置固定の画像処理装置であって、
入力を受付ける操作手段と、
片面読取及び両面読取の際に、前記原稿の表面の画像データを読取る第１の読取手段と、
両面読取の際に、前記原稿の裏面の画像データを読取る第２の読取手段と、を有し、
前記第１の読取手段及び前記第２の読取手段は、両面読取の場合には、同じ変倍方式であり、
前記第１の読取手段は、原稿読取条件に基づいて、片面読取の場合と両面読取の場合とで変倍方式を変更することを特徴とする画像処理装置。
【請求項２】
前記第１の読取手段は、前記自動原稿搬送装置の原稿移動速度を変えることで変倍画像を得る変倍方式と、前記自動原稿搬送装置の原稿搬送速度は等倍速固定して前記画像データを電気回路で構成された変倍処理回路によって変倍画像を得る変倍方式と、を前記原稿読取条件に基づいて変更することを特徴とする請求項１記載の画像処理装置。
【請求項３】
前記操作手段は、前記原稿の種類の選択入力を受付け、
前記原稿読取条件は、前記操作手段により受付けられた原稿の種類であることを特徴とする請求項１又は２に記載の画像処理装置。
【請求項４】
前記自動原稿搬送装置上の原稿の積置枚数を判定する積置枚数判定手段をさらに有し、
前記原稿読取条件は、前記積置枚数判定手段により判定された自動原稿搬送装置上の積置枚数であることを特徴とする請求項１又は２に画像処理装置。
【請求項５】
原稿の線数を判定する線数判定手段をさらに有し、
前記原稿読取条件は、前記線数判定手段のより判定された原稿の線数であることを特徴とする請求項１又は２に記載の画像処理装置。
【請求項６】
前記操作手段は、画像データの解像度の入力を受付け、
前記第１の読取手段は、前記操作手段により受付けられた解像度が等倍より大きい場合には、片面読取及び両面読取において、前記自動原稿搬送装置の原稿搬送速度は等倍速固定して前記画像データを電気回路で構成された変倍処理回路によって変倍画像を得る変倍方式を選択することを特徴とする請求項１から５の何れか１項に記載の画像処理装置。
【請求項７】
拡大変倍時に高解像度で前記原稿を読取る高画質モードを搭載し、
前記操作手段は、前記高画質モードの場合で且つ片面読取の場合に、前記第１の読取手段の変倍方式を、前記自動原稿搬送装置の原稿移動速度を変えることで変倍画像を得る変倍方式に変更するかの選択入力を受付けることを特徴とする画像処理装置。
【発明の詳細な説明】
【技術分野】
【０００１】
本発明は、原稿の両面を一度の原稿搬送で読取る画像処理装置に関する。
【背景技術】
【０００２】
原稿を読取る読取部に、原稿を一枚ずつ自動的に搬送する自動原稿搬送装置（以下、ＡＤＦ：Auto Document Feeder）を搭載した画像処理装置が広く普及しているが、近年では原稿の両面を一度の原稿搬送で読取ることができる画像処理装置が提供されている。
【０００３】
上記した画像処理装置では、通常、ユーザが捜査パネル上で読取る画像を変倍する倍率を設定することができる。このユーザが設定した倍率での画像読取りは、副走査方向の倍率を制御することにより行われている。この方法では、副走査方向の解像度を変更して副走査方向のみの倍率を加減し、読取った画像データの補間や間引きを行うことよりデジタル変倍を行う。しかし、上述した方法では、ユーザにより設定された変倍の倍率が高いほど、読取る画像データの量が多くなってしまうという問題があった。
【０００４】
また、デジタル複写機などの画像処理装置では、一般的に、読取った画像データを一旦バッファメモリに格納した後に画像データを圧縮して、圧縮画像メモリに記憶する。一方、ＡＤＦを搭載した画像処理装置では、自動原稿搬送により原稿の読取りから圧縮画像データを圧縮画像メモリに記憶するまでの一連の動作において、原稿を読取っている際に圧縮画像メモリが満杯になってしまうとデータを記憶することができない。そのため、一回の原稿搬送で読取った画像データの圧縮と圧縮された画像データが圧縮画像メモリへの記憶が正常に終了するまでは、読取った全ての画像データをバッファメモリに保存している。
【０００５】
しかし、この方法では、原稿の両面を読取り且つ設定された変倍の倍率が大きい場合には、かなり大きなバッファメモリが必要であり、コストが高くなってしまうという問題があった。
【０００６】
上記問題を解決するために、例えば、片面読取りの場合は、ＡＤＦの原稿移動速度を変えることで変倍画像を得る変倍方式を行い、両面同時読取の場合は、原稿サイズ、指定変倍率からバッファメモリに格納できるサイズであるかを判断し、格納できないサイズの場合には、変倍率を等倍で読取り、その後、バッファメモリに格納された画像データを、指定倍率に従ってデジタル変倍する技術が開示されている（例えば、特許文献１）。
【特許文献１】特開２００２−３１４８０１号広報
【発明の開示】
【発明が解決しようとする課題】
【０００７】
しかし、上記した特許文献１の技術では、片面読取と両面読取とで変倍方式が変わる場合があり、片面読取と両面読取で画質が異なってしまうという問題があった。以下に特許文献１において片面読取と両面読取とで変倍方式が変わる場合について説明する。
【０００８】
以下、バッファメモリが等倍（１００％変倍）２ページ分である場合について説明する。まず、片面原稿 ２００％変倍指定の場合は、変倍方式Ａの変倍方式を採用し、２００％変倍（１次解像度変換手段） ×１００％変倍（２次解像度変換手段）となる。尚、原稿搬送速度は等倍の２倍の速度である。
【０００９】
一方、両面原稿 ２００％変倍指定の場合は、変倍方式Ｂの変倍方式を採用し、１００％変倍（１次解像度変換手段）×２００％変倍（２次解像度変換手段）となる。尚、原稿搬送速度は等倍の速度で固定されている。
【００１０】
ここで、１次解像度変換手段とは、ＡＤＦの原稿移動速度を変えることで変倍画像を得る変倍方式である。例えば、２００％変倍画像を得るには、等倍の速度の２倍で走行する。また、２次解像度変換手段とは、原稿搬送速度は等倍速固定で、その画像データを電気回路で構成された変倍処理回路によって変倍画像を得る変倍方式である。
【００１１】
上記した変倍方式の違いにより、一般的に、変倍処理方式が異なるとスキャンした画像の画質が異なる。片面読取と両面読取で変倍方式が異なる場合に、特に、網点写真に対してはスキャン画像にモアレが出るので、変倍方式による影響が大きい。一方、文字主体の原稿では、片面読取と両面読取で変倍方式が変わった場合に、画質に差（モアレの出方）が出にくい。このように、原稿の種類によって影響度が異なる。
【００１２】
さらに、上述した問題点の他に、片面読取と両面読取で変倍方式を変えて、片面読取だけでも読取生産性を向上したいという要求がある。この場合も、特許文献１の技術では、変倍方式が片面読取と両面読取で異なり、片面画像と両面画像の画質が異なる場合があるという問題があった。
【００１３】
また、両面同時読取で裏面の読取りに使用されることがあるＣＩＳは、等倍読取りのみの対応となっている。そのため、ＡＤＦの原稿移動速度を変えることで変倍画像を得る変倍方式には対応できない場合があり、読取装置の構成によっては両面読取の場合、常に等倍での読取りとなる場合がある。
【００１４】
例えば、片面読取の場合はＡＤＦの原稿移動速度を変えることによる変倍に対応可能であるが、両面読取の場合にはＣＩＳの制約により等倍読取のみしか行えない。すなわち、５０％変倍指定で片面と両面原稿を混載して読取る場合には、変倍方式が異なってしまう。
【００１５】
本発明はこのような実情を鑑みてなされたものであり、変倍方式の違いによる画質への影響度をユーザが考慮することなく、読取条件によって容易に適切な変倍方式を選択できるようにすることで、特定の原稿読取条件下での読取生産性の向上及び片面読取と両面読取の画質差低減の両立を実現する画像処理装置を提供することを目的とする。
【課題を解決するための手段】
【００１６】
本発明の画像処理装置は、自動原稿搬送装置を有し、原稿の両面の画像データを１回の原稿搬送で同時に読取る読取位置固定の画像処理装置であって、入力を受付ける操作手段と、片面読取及び両面読取の際に、原稿の表面の画像データを読取る第１の読取手段と、両面読取の際に、原稿の裏面の画像データを読取る第２の読取手段と、を有し、第１の読取手段及び第２の読取手段は、両面読取の場合には、同じ変倍方式であり、第１の読取手段は、原稿読取条件に基づいて、片面読取の場合と両面読取の場合とで変倍方式を変更することを特徴とする。
【発明の効果】
【００１７】
本発明によれば、読取生産性の向上と、片面読取と両面読取との画質差低減の両立と、を実現することが可能となる。
【発明を実施するための最良の形態】
【００１８】
以下に本発明の実施形態の例について、図面を用いて詳細に説明する。尚、画像処理装置の例として、カラーＭＦＰ（MultiFunction Peripheral）を例に挙げて説明するが、これに限定されるものでない。
【００１９】
（画像読取部）
図１は、本実施形態に係るカラーＭＦＰの画像読取部の概略構成例を示す。ここでは、画像書込部の構成については省略する。図示するように、画像読取部の構成を大きく分けると、画像読取部本体１と、原稿搬送部２と、原稿読取台３の３つの構成になっている。
【００２０】
画像読取部本体１の内部には、第１走行体４、第２走行体５、レンズ６、一次元光電変換素子７、ステップモータ８、を有する露光走査光学系９が設けられている。
【００２１】
第1走行体４は、キセノンランプまたは蛍光灯で構成される光源４ａとミラー４ｂとを備える。第２走行体５は、ミラー５ａ、５ｂを備える。一次元光電変換素子７は、本実施形態では、例えばカラー読取りの３ラインＣＣＤである。ステッピングモータ８は、第１走行体４及び第２走行体５を駆動する。
【００２２】
また、原稿搬送部２は、ＳＤＦユニット１０と、原稿台１１とを有する。ＳＤＦユニット１０内には、原稿搬送用のステッピングモータ１２が設けられている。
【００２３】
さらに、原稿読取台３の上部に、原稿押さえ板１４が回動自在に取り付けられており、原稿１３はその原稿押さえ板１４の下にセットされる。また、原稿読取台３の端部には、シェーディング補正用の基準白板１５が配置されている。
【００２４】
（電装制御部）
図２は、本実施形態に係るカラーＭＦＰの電装制御の例を示すブロック図である。図示するように、本実施形態に係るカラーＭＦＰの画像読取部は、光源４ａ、ＣＣＤ７、原稿搬送用ステッピングモータ８、走行体移動用ステッピングモータ１２、制御ＣＰＵ１６、光源ドライバ１７、ＣＣＤ駆動部１８、画像処理部１９、原稿搬送用モータドライバ２０、スキャナ信号処理部２５、書込信号処理部２６ａ、ＬＤ（レーザダイオード）２６ｂ、ＬＤ駆動部２６ｃ、メモリ２７ｂ、メモリ制御２７ａ、走行体移動用モータドライバ２８、バッファメモリコントローラ４３ａ、バッファメモリ４３ｂ、ＣＩＳ４４、を備える。
【００２５】
（モード）
図３は、圧板読取モード時の画像読取部の構成例を示す図であり、図４は原稿搬送読取モード時の画像読取部の構成例を示す図である。原稿読取モードとしては、図３に示すような原稿読取台３を用いて画像データの読取りを行う圧板読取モードと、図４に示すような原稿搬送装置２を用いて、読取位置固定で、原稿自体を移動する原稿搬送読取モードとがある。
【００２６】
（圧板読取モードの動作）
図３を用いて、圧板読取モードにおける画像データ読取りの基本動作について説明する。
【００２７】
まず、原稿１３を原稿押さえ板１４下の原稿読取台３上にセットされると、ＣＰＵ１６は光源ドライバ１７を動作させて光源４ａをオンにする。ＣＣＤ駆動部１８が駆動するＣＣＤ７により基準白板１５を走査して読取り、画像処理部１９内のＡ/Ｄコンバータ（図示せず）でアナログ-デジタル変換を行う。そして、読取信号処理部２５で、シェーディング補正用の白基準データとして、画像処理部１９内のシェーディング補正処理のＲＡＭ(図６：ラインバッファ３６)に保持する。
【００２８】
次に、制御ＣＰＵ１６は、走行体（キャリッジ）移動用モータドライバ（駆動装置）２０を通して、走行体移動用ステッピングモータ８を動作させ、これにより第1走行体４は、原稿１３のある方向へ移動する。この第1走行体４が原稿面を一定速度で走査することにより、その原稿１３の画像データがＣＣＤ７により光電変換される。
【００２９】
（原稿搬送読取モードの動作）
図４を用いて、シートスルー方式ＤＦ読取モード（原稿搬送読取モード）における画像データ読取りの基本動作について説明する。シートスルー方式ＤＦ読取モードは、上述した圧板読取モードのように原稿を原稿読取台に固定して走行体を走査して読取るのではなく、走行体４は固定の読取位置に静止させて、原稿自体を移動させて読取る方式である。
【００３０】
まず、制御ＣＰＵ１６は、圧板読取モードと同様に走行体４を一定の移動量で基準白板を走査して基準白板１５を読取った後に、シートスルー原稿読取り位置まで走行体を移動させて静止させる。
【００３１】
次に、制御ＣＰＵ１６は、原稿１３を搬送するために、原稿搬送用モータドライバ２８を通して原稿搬送用ステッピングモータ１２を駆動する。原稿台１１にセットされた原稿１３は、分離ローラ２９と搬送ローラ３０によって、第1走行体４の所定の読取り位置まで搬送される。このとき、原稿１３は一定速度で搬送されて行き、第1走行体４は停止したままで原稿面の画像データをＣＣＤ７により光電変換される。
【００３２】
上述した説明は、片面原稿を読取る場合であるが、両面原稿を読取る場合は、搬送ローラ３０を原稿が通過したあと、ＣＩＳ４４を通過するときに原稿の裏面を読取る。
【００３３】
（読取信号処理部）
図５は、上記図２に示す読取信号処理部２５の最も基本的な構成例を示すブロック図である。図示するように、読取信号処理部２５は、アナログビデオ処理部２１、シェーディング補正処理部２２を備え、バッファメモリ４３ｂを制御するバッファメモリコントローラ４３ａを通して、画像処理部１９にデータを流す。
【００３４】
光電変換されたアナログビデオ信号［ａ］は、アナログビデオ処理部２１でデジタル変換の処理まで行われた後、シェーディング補正処理部２２でシェーディング補正を行い、補正処理を行う。補正処理後、画像データは一旦バッファメモリコントローラ４３ａを通して、バッファメモリ４３ｂに保持され、その後、１ページの画像ごとに、後段の画像処理部１９にデータを渡す。
【００３５】
バッファメモリコントローラ４３ａは、ＣＣＤ７から送られてくる表面の画像と、ＣＩＳ４４からの裏面の画像を同時に受け、２ページ分の画像データをバッファメモリ４３ｂに保持する。
【００３６】
その後、バッファメモリ４３ｂは、ＣＣＤ７からの表面の画像とＣＩＳ４４からの裏面画像を交互に１ページの画像として、後段の画像処理部１９に渡す。画像処理部１９では、バッファメモリコントローラ４３ｂから送られてくる１ページの画像ごとに対し、各種画像処理を行う。
【００３７】
（アナログ処理）
図６は、本実施形態に係る画像処理装置のアナログ処理を説明するための図である。以下に、上述したアナログ処理の詳細について図６を用いて説明する。
【００３８】
上述した図５に示したアナログビデオ処理部２１は、図６に示すようにプリアンプ回路３１、可変増幅回路３２、Ａ/Ｄコンバータ３３、を備えている。また、シェーディング補正処理部２２は、黒演算回路３４、シェーディング補正演算回路３５、３６、を備えている。
【００３９】
ラインバッファ３６は、シェーディング補正で基準となる前述の白基準データを保持する。原稿読取台３上の原稿１３を光源４ａで照射した反射光を、シェーディング調整板３７を通してレンズ６によって集光して、ＣＣＤ７に結像する。ここで、シェーディング調整板３７は、ＣＣＤ７の中央部と端部での反射光量の差を小さくするための光量調整の役割を果たす。これは、ＣＣＤセンサの中央部と端部で反射光量の差があまりに大きすぎると、シェーディング補正処理部２２で多分に歪を含んだ演算結果しか得られないため、あらかじめ反射光量の差を小さくした後にシェーディング補正演算処理を行うためのものである。
【００４０】
尚、図６では説明簡単化のために、反射光を折り返すためのミラーを省略している。また、ＣＩＳ４４からの画像データは、ＣＣＤ７からの画像に対して読取信号処理部２５で行っている処理と同等の処理がすでに行われている画像データであるので、ＣＩＳ４４のデータに対してはアナログビデオ処理やシェーディング補正処理は不要である。
【００４１】
（前段画像処理）
上記した図５に示す画像データ処理部１９は、図７に示すように前段画像処理４０ａと、後段画像処理４０ｂに分かれる。
【００４２】
図８に示すように、前段画像処理４０ａは、ライン間補正処理部４１ａ、変倍処理部４１ｂ、γ変換処理部４１ｃ、フィルタ処理部４１ｄ、色変換処理部４１ｅにおいて、ライン間補正処理、変倍処理、γ変換処理、フィルタ処理、色変換処理までの処理を行う。
【００４３】
ライン間補正処理部４１ａによるライン間補正処理は、カラーＣＣＤ７の各ＲＧＢの取り付け位置の差によって生じるそれぞれＲＧＢ間のラインずれを補正する処理である。例えば、Ｂ（ブルー）のラインを基準とした場合、Ｒ（レッド）とＢ、Ｇ（グリーン）とＢの間のラインずれ量を補正する処理を行う。
【００４４】
変倍処理部４１ｂによる変倍処理は、読取りの解像度から所望の解像度に変換するための処理を行う。γ変換処理部４１ｃによるγ変換処理は、主に濃度調整（例えば、図１０のような濃度調整）を目的とした変換処理で、一般的に図１１のようなルックアップテーブル変換と呼ぶ方式を用いる。
【００４５】
フィルタ処理部４１ｄによるフィルタ処理は、ＭＴＦ補正、鮮鋭化、平滑化を目的としたフィルタ処理演算を行う。色変換処理部４１ｅによる色変換処理は、出力デバイスの色空間、たとえば、ＣＭＹＫ色空間に変換するための処理を行う。尚、カラー画像の場合は、ＲＧＢ各成分に対して上記の処理を行い、モノクロ画像の場合は、ＲＧＢのＧデータのパスを使って一成分だけ上記の処理を行う。通常、データ蓄積前に後段画像処理部がくる場合、蓄積容量最小重視で、階調数を低く設定する。ここで示した例では、２値の階調変換処理を選択する。
【００４６】
（後段画像処理）
書込装置が１bit、 ２階調まで出力可能な場合の固定しきい値２値化による階調変換について説明する。
【００４７】
２値画像を所望する場合、図９の後段画像処理４０ｂの階調変換処理部４２ｃによる階調変換処理により、８bit、２５６階調のＣＭＹＫそれぞれ画像を２階調の２値画像データに変換し、画像データ［ｂ］として後段に送る。ここで、説明を簡単にするため、固定しきい値処理の一例を挙げると、２値化しきい値が１２８の場合、処理部の入力画像の画素データに対して、下記の言う条件によって２値化を行う。
０   ≦  画素データ  ＜ １２８が真ならば  ０
１２８   ≦  画素データ  ≦ ２５５ が真ならば  １
【００４８】
次に、書込装置が２bit、４値まで出力可能な場合の固定しきい値４値化による階調変換について説明する。
【００４９】
４値画像を所望する場合、図９の後段画像処理４０ａの階調変換処理部４２ｃによる階調変換処理により、ＣＭＹＫそれぞれ８bit、２５６階調の画像を４階調の４値画像データに変換し、画像データ[ｂ]として後段に送る。ここで、説明を簡単にするため、固定しきい値処理の一例を挙げると、処理部の入力画像の画素データに対して、下記の言う条件によって４値化を行う。
０   ≦  画素データ  ＜  ６４が真ならば  ０
６４   ≦  画素データ  ＜ １２８が真ならば  １
１２８  ≦  画素データ  ＜ １９２が真ならば  ２
１９２  ≦  画素データ  ≦ ２５５が真ならば  ３
【００５０】
（画像データの蓄積）
上述した画像データは階調処理を行う前のＣＭＹＫそれぞれ１bit、あるいは２bitの画像データである。画像データは一旦メモリ制御２７ａを通してメモリ２７ｂに蓄積される。
【００５１】
（動作）
図１２は、本実施形態に係る画像処理装置の動作の概略構成例を示す。本実施形態に係る画像処理装置は、１次解像度変更手段１０１と、２次解像度変換手段１０２と、解像度指示手段１０３と、を備える。
【００５２】
１次解像度変更手段１０１は、原稿の移動速度を変えることにより、副走査方向の読取り解像度の変更（変倍）を行う。この１次解像度変更手段１０１は、光源ドライバ１７、原稿搬送モータドライバ２０、走行（キャリッジ）モータドライバ２８などからなる手段である。
【００５３】
２次解像度変換手段１０２は、ＡＳＩＣ（Application Specified IC）など電気回路による補間処理で主走査および副走査の解像度変換を行う。この２次解像度変換手段１０２は、画像処理部１９の中の変換処理部４１ｂからなる処理を示し、主走査方向と副走査方向の変倍を行うモジュールである。
【００５４】
解像度指示手段１０３は、１次解像度変更手段１０１と２次解像度変換手段１０２に、変倍率（解像度）を指示する。この解像度指示手段１０３は、ＣＰＵ１６からなるモジュールを示す。尚、ここでは等倍(変倍率１００％)の副走査方向解像度は６００dpiとし、このときの原稿の移動速度を「等倍速」と呼ぶ。また、主走査方向解像度は、等倍の場合も６００dpiであり、ＣＣＤ７の駆動はこの解像度のときの動作を基準として制御する。
【００５５】
（実施形態１）
図１３及び図１４は、本実施形態に係る画像処理装置の動作例を示す。本実施形態では、主走査のＣＣＤ解像度、副走査の等倍の解像度６００dpiとした画像読取部において、ユーザの指定解像度が３００dpiの場合を例に挙げて、動作を説明する。指定解像度が３００dpiの場合の変倍方式は下記のようになる。
【００５６】
変倍方式Ａ：  生産性重視
１次解像度変更手段：  ５０％変倍[３００dpi読取り]（等倍速の２倍速）
２次解像度変換手段：  １００％変倍
【００５７】
変倍方式Ｂ：  画質重視
１次解像度変更手段：  １００％変倍[６００dpi読取り]（等倍速）
２次解像度変換手段：  ５０％変倍
【００５８】
本実施形態の変倍方式を切り替える原稿読取条件は、原稿の種類である。本実施形態における画像データを読取るまでの操作手順の例を簡単に述べると以下のようになる。
【００５９】
まず、ユーザは、操作部を通して、読取解像度と原稿種を選択し（ここでは操作部を図示しない）、原稿が片面原稿か両面原稿であるか操作部を通して指示する。ユーザは、シート状の複数枚の原稿を原稿自動搬送装置の原稿台に原稿を載置して、操作パネルの読取り開始ボタンを通して読取りをスタートさせる。
【００６０】
ここで、変倍方式Ａが選択される場合について説明する。
【００６１】
図１５は、変倍方式Ａが選択される場合の例を説明するための図である。ユーザの要求する画像データの解像度が、主走査・副走査３００dpiで、原稿種に文字モードが指定され、ＤＦに積置された片面原稿をスキャンする場合を例に挙げて動作について説明する。
【００６２】
解像度指示手段１０３は、１次解像度変更手段１０１に対して、原稿自動搬送装置により原稿が等倍の２倍の速度で移動するように設定する。同様に、解像度指示手段１０３は、２次解像度変換手段１０２に対して、副走査１００％変倍を行うように設定する。この後、実際に、原稿が移動して読取られた画像データは、主走査６００dpi, 副走査３００dpiの画像となる。
【００６３】
１次解像度変更手段後、２次解像度変換手段は、副走査の変倍を行わず、主走査のみ電気回路を使用して５０％変倍(３００dpi)を行い、主走査３００dpi×副走査３００dpiの画像として、後段画像処理に転送する。このときの読取生産性は、後述する変倍方式Ｂ(画質重視)の約２倍の生産性、つまり、約１／２の時間で読取ることができる。尚、実際には読取り位置まで原稿を移動する時間や原稿を排出する時間があるため、正確に２倍にはならない。
【００６４】
次に、変倍方式Ｂが選択される場合について説明する。
【００６５】
図１６は、変倍方式Ｂが選択される場合の例を説明するための図である。ユーザの要求する画像データの解像度が、主走査・副走査３００dpiの画像で、原稿種を写真モードが指定され、ＤＦに積置された片面原稿をスキャンする場合を例に挙げて動作について説明する。
【００６６】
図１４に示すように、原稿種の指定が文字モードでない場合（ステップＳ１４０１／いいえ）に、変倍方式Ｂが選択される。図１６に示すように、変倍方式Ｂが選択された場合、解像度指示手段１０３は、１次解像度変更手段１０１に対して、画像読取部の原稿搬送速度が等倍速で移動するように設定する。一方、２次解像度変換手段１０２に対しては、解副走査５０％変倍を行うように設定する。実際に原稿が移動して読取られた画像データは、主走査６００dpi,×副走査６００dpiの画像であるが、２次解像度変更手段通過後は、主走査３００dpi×副走査３００dpiの画像となり、後段画像処理に転送する。
【００６７】
このときの読取生産性は、上述したの変倍方式Ａ(生産性重視)の約１／２倍の生産性、つまり、約２倍の時間で読取ることになる。尚、実際には、読取り位置まで原稿を移動する時間や原稿を排出する時間があるため、正確に１／２の生産性にはならない。
【００６８】
（実施形態２）
上記実施形態１において、変倍方式を切り替える原稿読取条件を、「片面原稿/両面原稿同時混載時」とした場合について、図１３に示すフローチャートを用いて説明する。尚、本実施形態では、ユーザの指定解像度が３００dpiの場合を例に挙げて、動作を説明する。指定解像度が３００dpiの場合の変倍方式は下記のようになる。
【００６９】
変倍方式Ａ：  生産性重視
１次解像度変更手段：  ５０％変倍[３００dpi読取り]（等倍速の２倍速）
２次解像度変換手段：  １００％変倍
【００７０】
変倍方式Ｂ：  画質重視
１次解像度変更手段：  １００％変倍[６００dpi読取り]（等倍速）
２次解像度変換手段：  ５０％変倍
【００７１】
本実施形態の変倍方式を切り替える原稿読取条件は、片面原稿/両面原稿同時混載時である。同一の原稿セットで、スキャンした画像を比較されることが多いので、片面原稿/両面原稿混載の原稿セット（複数毎の原稿。原稿台に載置した原稿の１かたまりのこと）の場合は、片面と両面原稿原稿で画質が同じである方がよい。一方、両面原稿のみの場合や、片面原稿のみ場合では、同一の原稿セット内で画像を比較することが少ない。
【００７２】
本実施形態における画像データを読取るまでの操作手順の例を簡単に述べると以下のようになる。ユーザは、操作部を通して、読取解像度を選択し（ここでは操作部を図示しない）、原稿が片面/両面混載原稿であるか操作部を通して指示する。そして、ユーザは、シート状の複数枚の原稿を原稿自動搬送装置の原稿台に原稿を載置して、操作パネルの読取り開始ボタンを通して読取りをスタートさせる。
【００７３】
ここで、変倍方式Ａが選択される場合について、上記図１５を用いて説明する。
【００７４】
ユーザの要求する画像データの解像度が、主走査・副走査３００dpiで、「片面原稿/両面原稿同時混載」が指定されない場合で、ＤＦに積置された原稿をスキャンする場合を例に挙げて、動作について説明する。尚、「片面原稿/両面原稿同時混載」が指定されない場合は、片面のみの原稿か、両面原稿のみの原稿となる。本実施形態では、片面原稿のみが指定されている場合で説明する。
【００７５】
解像度指示手段１０３は、１次解像度変更手段１０１に対して、原稿自動搬送装置により原稿が等倍の２倍の速度で移動するように設定する。同様に、解像度指示手段１０３は、２次解像度変換手段１０２に対して、副走査１００％変倍を行うように設定する。この後、実際に、原稿が移動して読取られた画像データは、主走査６００dpi、 副走査３００dpiの画像となる。
【００７６】
１次解像度変更手段１０１後、２次解像度変換手段１０２は、副走査の変倍を行わず、主走査のみ電気回路を使用して５０％変倍(３００dpi)を行い、主走査３００dpi×副走査３００dpiの画像として、後段画像処理に転送する。
【００７７】
次に、変倍方式Ｂが選択される場合について、上記図１６を用いて説明する。
【００７８】
ユーザの要求する画像データの解像度が、主走査・副走査３００dpiで、「片面原稿/両面原稿同時混載」が指定されない場合で、ＤＦに積置された原稿をスキャンする場合を例に挙げて、動作について説明する。
【００７９】
尚、「片面原稿/両面原稿同時混載」が指定された場合は、原稿台に載置された原稿は、片面原稿と両面原稿の混載である。片面原稿と両面原稿の混載の場合には、片面原稿も両面原稿と同じ変倍方式Ｂとする。片面原稿と両面原稿の混載の場合、片面原稿に対しても実際は両面原稿と同じように表面と裏面の両方の面を読み、その後、読取った画像が白紙の場合には、このデータを破棄することで、片面原稿と両面原稿の混載の読取を実現するので、読取は片面原稿であっても、両面原稿とときと同じである。前記の片面/両面混載の指示により、解像度指示手段１０３は、変倍方式Ｂを指定した動作設定に移る。
【００８０】
解像度指示手段１０３は、１次解像度変更手段１０１に対して、画像読取部の原稿搬送速度が等倍速で移動するように設定する。一方、２次解像度変換手段１０２に対しては、副走査５０％変倍を行うように設定する。
【００８１】
実際に原稿が移動して読取られた画像データは、主走査６００dpi×副走査６００dpiの画像であるが、２次解像度変更手段通過後は、主走査３００dpi×副走査３００dpiの画像となり、後段画像処理に転送する。尚、上記の説明は片面原稿のときも両面原稿のときも同じ動作である。
【００８２】
上述した実実施形態１及び実施形態２により、原稿読取条件によって片面原稿と両面原稿の変倍方式が切り替わることで、読取生産性の向上と片面読取と両面読取の画質差低減の両立を実現することが可能となる。また、原稿に対する変倍方式の違いによる画質への影響度を使用者が考慮する必要がなくなりユーザの利便性が向上する。
【００８３】
また、文字主体の原稿の場合、変倍方式の違いによる画質（モアレ）の影響度が小さい。そのため、片面読取の場合は、自動原稿搬送装置の原稿移動速度を変え、変倍画像を得る変倍方式を選択することで、文字主体の原稿の片面読取りを行う場合の読取生産性を向上させることが可能となる。
【００８４】
このように、本実施形態では、特定条件下の読取生産性の向上と、片面読取と両面読取の画質差低減の両立が図れるという利点がある。特定の原稿読取条件の例として原稿種を挙げると、前記記載の効果は片面原稿と両面原稿の変倍方式を下記のように切り替えることで、読取生産性の向上と片面読取と両面読取の画質差低減の両立が図れる。
【００８５】
変倍方式による画質差が小さい原稿の場合には片面の読取生産性重視する。すなわち、片面読取りの場合には上記変倍方式Ａの変倍方式を選択し、両面読取りの場合には、上記変倍方式Ｂの変倍方式を選択する。一方、変倍方式による画質差が大きい原稿の場合には、片面/両面の画質差低減重視する。すなわち、片面読取りの場合も両面読取りの場合も上記変倍方式Ｂの変倍方式を選択する。
【００８６】
（実施形態３）
図１７は、本実施形態に係る画像処理装置の動作例を示す。本実施形態では、ユーザの指定解像度が３００dpiの場合を例に挙げて、動作を説明する。指定解像度が３００dpiの場合の変倍方式は下記のようになる。
【００８７】
変倍方式Ａ：  生産性重視
１次解像度変更手段：  ５０％変倍[３００dpi読取り]（等倍速の２倍速）
２次解像度変換手段：  １００％変倍
【００８８】
変倍方式Ｂ：  画質重視
１次解像度変更手段：  １００％変倍[６００dpi読取り]（等倍速）
２次解像度変換手段：  ５０％変倍
【００８９】
本実施形態における変倍方式を切り替える原稿読取条件は、原稿の載置枚数であり、この例では５０枚以上の場合に変倍制御を切り替える。本実実施形態における画像データを読取るまでの操作手順の例を簡単に述べると以下のようになる。
【００９０】
まず、ユーザは、操作部を通して、読取解像度を指定し（ここでは操作部を図示しない）、原稿が片面原稿か両面原稿であるか操作部を通して指示する。次に、ユーザは、シート状の複数枚の原稿を、自動原稿搬送装置の原稿台に置き、操作部を使って原稿の枚数を設定し、操作パネルの読取り開始ボタンを通して読取りをスタートさせる。
【００９１】
ここで、変倍方式Ａが選択される場合について説明する。
【００９２】
図１５は、変倍方式Ａが選択される場合の例を説明するための図である。原稿は片面原稿で、ユーザの要求する画像データの解像度が、主走査・副走査３００dpiで、自動原稿搬送装置に載置された原稿枚数が操作部を通して６０枚と指定された場合の例を挙げて、動作について説明する。
【００９３】
解像度指示手段１０３は、操作部を通して６０枚と通知され、変倍切り替えの閾値である５０と比較する（ステップＳ１７０１）。６０枚である場合には、閾値より大きいので（ステップＳ１７０１／はい）変倍方式Ａを指定した動作設定に移る。
【００９４】
解像度指示手段１０３は、１次解像度変更手段１０１に対して、自動原稿搬送装置により原稿が等倍の２倍の速度で移動するように設定する。同様に、解像度指示手段１０３は、２次解像度変換手段１０２に対して、副走査１００％変倍を行うように設定する。この後、実際に、原稿が移動して読取られた画像データは、主走査６００dpi、副走査３００dpiの画像となる。
【００９５】
１次解像度変更手段１０１後、２次解像度変換手段１０２は、副走査の変倍を行わず、主走査のみ電気回路を使用して５０％変倍(３００dpi)を行い、主走査３００dpi×副走査３００dpiの画像として、後段画像処理に転送する。
【００９６】
このときの読取生産性は、後述する変倍方式Ｂ(画質重視)の約２倍の生産性、つまり、約１／２の時間で読取ることができる。尚、実際には、読取り位置まで原稿を移動する時間や原稿を排出する時間があるため、正確に２倍にはならない。
【００９７】
次に、変倍方式Ｂが選択される場合について、上記図１６を用いて説明する。
【００９８】
ユーザの要求する画像データの解像度が、主走査・副走査３００dpiで、自動原稿搬送装置に載置された原稿枚数が操作部を通して３０枚と指定された場合の動作について述べる。解像度指示手段１０３は、操作部を通して３０枚と通知され、変倍切り替えの閾値である５０と比較する（ステップＳ１７０１）。３０枚は、閾値より小さい（ステップＳ１７０１／いいえ）ので、変倍方式Ｂを指定した動作設定に移る。
【００９９】
解像度指示手段１０３は、１次解像度変更手段１０１に対して、自動原稿搬送装置により原稿が等倍の速度で移動するように設定する。同様に、解像度指示手段１０３は、２次解像度変換手段１０２に対して、副走査５０％変倍を行うように設定する。実際に原稿が移動して読取られた画像データは、主走査６００dpi×副走査６００dpiの画像であるが、２次解像度変更手段通過後は、主走査３００dpi×副走査３００dpiの画像となり、後段画像処理に転送する。
【０１００】
このときの読取生産性は、前述の変倍方式Ａ(生産性重視)の約１／２倍の生産性、つまり、約２倍の時間で読取ることになる。尚、実際には、読取り位置まで原稿を移動する時間や原稿を排出する時間があるため、正確に１／２の生産性にはならない。
【０１０１】
ここで、原稿の枚数が少ないときには、全体の読取り時間があまり多くないので、特に読取生産性が気にならず、読取生産性よりも片面と両面の画質差が小さい方がよいと考えるが、原稿の枚数が多いときには画質差よりも読取生産性を重視するというユーザがいることが考えられる。
【０１０２】
本実施形態により、原稿の枚数が多い場合は、片面両面の画質差よりも読取生産性の向上に重視するユーザの要求に対して対応できることができ、利用者の利便性を向上させることが可能となる。
【０１０３】
（実施形態４）
図１８は、本実施形態に係る画像処理装置の動作例を示す。本実施形態では、ユーザの指定解像度が３００dpiの場合を例に挙げて、動作を説明する。指定解像度が３００dpiの場合の変倍方式は下記のようになる。
【０１０４】
変倍方式Ａ：  生産性重視
１次解像度変更手段：  ５０％変倍[３００dpi読取り]（等倍速の２倍速）
２次解像度変換手段：  １００％変倍
【０１０５】
変倍方式Ｂ：  画質重視
１次解像度変更手段：  １００％変倍[６００dpi読取り]（等倍速）
２次解像度変換手段：  ５０％変倍
【０１０６】
本実施形態における変倍方式を切り替える原稿読取条件は、原稿の線数であり、この例では、原稿の線数が1５０線以上の場合に変倍制御を切り替える。本実施形態における画像データを読取るまでの操作手順の例を簡単に述べると以下のようになる。
【０１０７】
まず、ユーザは、原稿の本スキャンの前に、あらかじめ原稿の網点写真をプレスキャンし、線数判定手段により網点の線数を判定しておく。網点線数の判定は、例えば、特許第３０９３２３５号広報に記載の方法で検出方法を行う。続いて、ユーザは、操作部を通して、読取解像度を指定し（ここでは操作部を図示しない）、さらに原稿が片面原稿か両面原稿であるか操作部を通して指示する。次に、ユーザは、シート状の複数枚の原稿を、自動原稿搬送装置の原稿台に置き、操作部を使って原稿の枚数を設定し、操作パネルの読取り開始ボタンを通して読取りをスタートさせる。
【０１０８】
ここで、変倍方式Ａが選択される場合について、上記図１５を用いて説明する。
【０１０９】
原稿は片面原稿で、ユーザの要求する画像データの解像度が、主走査・副走査３００dpiで、自動原稿搬送装置に載置された場合を例に挙げて、動作について説明する。
【０１１０】
まず、あらかじめ、ユーザが原稿の本スキャンの前に網点写真をプレスキャンする。このプレスキャンにより原稿の網点の線数を判定して、その結果を保持しておく。この説明では１００線であると判定された場合について述べる。解像度指示手段は、前記の線数判定の結果と、変倍切り替えの閾値である1５０線と比較する（ステップＳ１８０１）。１００線は、閾値より小さい（ステップＳ１８０１／はい）ので変倍方式Ａを設定した動作設定に移る。
【０１１１】
解像度指示手段１０３は、１次解像度変更手段１０１に対して、自動原稿搬送装置により原稿が等倍の２倍の速度で移動するように設定する。同様に、解像度指示手段１０３は、２次解像度変換手段１０２に対して、副走査１００％変倍を行うように設定する。この後、実際に、原稿が移動して読取られた画像データは、主走査６００dpi、副走査３００dpiの画像となる。
【０１１２】
１次解像度変更手段１０１後、２次解像度変換手段１０２は、副走査の変倍を行わず、主走査のみ電気回路を使用して５０％変倍(３００dpi)を行い、主走査３００dpi×副走査３００dpiの画像として、後段画像処理に転送する。
【０１１３】
このときの読取生産性は、後述する変倍方式Ｂ(画質重視)の約２倍の生産性、つまり、約１／２の時間で読取ることができる。尚、実際には、読取り位置まで原稿を移動する時間や原稿を排出する時間があるため、正確に２倍にはならない。
【０１１４】
次に、変倍方式Ｂが選択される場合について、上記図１６を用いて説明する。
【０１１５】
原稿は片面原稿で、ユーザの要求する画像データの解像度が、主走査・副走査３００dpiで、自動原稿搬送装置に載置された場合を例に挙げて、動作について説明する。
【０１１６】
まず、あらかじめ、ユーザが原稿の本スキャンの前に網点写真をプレスキャンする。このプレスキャンにより原稿の網点の線数を判定して、その結果を保持しておく。この説明では２００線であると判定された場合について説明する。解像度指示手段１０３は、前記の線数判定の結果と、変倍切り替えの閾値である1５０線と比較する（ステップＳ１８０１）。２００線は、閾値より大きい（ステップＳ１８０１／いいえ）ので変倍方式Ｂを設定した動作設定に移る。
【０１１７】
解像度指示手段１０３は、１次解像度変更手段１０１に対して、自動原稿搬送装置により原稿が等倍の速度で移動するように設定する。同様に、解像度指示手段１０３は、２次解像度変換手段１０２に対して、副走査５０％変倍を行うように設定する。この後、実際に、原稿が移動して読取られた画像データは、主走査６００dpi、副走査６００dpiの画像となる。
【０１１８】
１次解像度変更手段１０１後、２次解像度変換手段１０２は、主走査、副走査とに５０％変倍(３００dpi)を行い、主走査３００dpi×副走査３００dpiの画像として、後段画像処理に転送する。
【０１１９】
このときの読取生産性は、上述した変倍方式Ａ(画質重視)の約１／２倍の生産性、つまり、約２倍の時間で読取ることになる。尚、実際には、読取り位置まで原稿を移動する時間や原稿を排出する時間があるため、正確に１／２の生産性にはならない。
【０１２０】
ここで、片面と両面で変倍方式が変わった場合に、画質に差（モアレの出方）が出やすい原稿として網点写真を示してきたが、必ずしも網点写真ならば、変倍方式の違いが出るわけではなく、正確には写真原稿を構成する網点の線数の影響によって影響が異なる。高線数になるほど、モアレは出にくくなるので、片面と両面の変倍方式の違いによる画質への影響度が小さくなる。高線数の網点写真であれば、文字主体の原稿と同じに扱うことができ、片面読取の読取生産性を向上することができる。
【０１２１】
本実施形態により、高線数の網点写真の片面読取りを行う場合の読取生産性を向上させることが可能となる。
【０１２２】
（実施形態５）
図１９は、本実施形態に係る画像処理装置の動作例を示す。本実施形態では、ユーザの指定解像度が１２００dpiの場合を例に挙げて、動作を説明する。指定解像度が１２００dpiの場合の変倍方式は下記のようになる。
【０１２３】
変倍方式Ａ：  生産性重視
１次解像度変更手段：  ２００％変倍[１２００dpi読取り]（等倍速の１／２倍速）
２次解像度変換手段：  １００％変倍
【０１２４】
変倍方式Ｂ：  画質重視
１次解像度変更手段：  １００％変倍[６００dpi読取り]（等倍速）
２次解像度変換手段：  ２００％変倍
【０１２５】
本実施形態の変倍方式を切り替える原稿読取条件は、原稿種である。本実施形態における画像データを読取るまでの操作手順の例を簡単に述べると以下のようになる。
【０１２６】
まず、ユーザは、操作部を通して、読取解像度と原稿種を選択し（ここでは操作部を図示しない）、原稿が片面原稿か両面原稿であるか操作部を通して指示する。次に、ユーザは、シート状の複数枚の原稿を原稿自動搬送装置の原稿台に原稿を載置して、操作パネルの読取り開始ボタンを通して読取りをスタートさせる。
【０１２７】
次に、変倍方式Ｂが選択される場合について、上記図１６を用いて説明する。
【０１２８】
ユーザの要求する画像データの解像度が、主走査・副走査１２００dpiで、原稿種に文字モードが指定され、ＤＦに積置された片面原稿をスキャンする場合を例に挙げて、動作について説明する。
【０１２９】
解像度指示手段１０３は、操作部を通して１２００dpiという指示に対し、変倍切り替えの閾値である６００dpiと比較する（ステップＳ１９０３）。１２００dpiは閾値より大きい（ステップＳ１９０３／はい）ので変倍方式Ｂを指定した動作設定に移る。
【０１３０】
解像度指示手段１０３は、１次解像度変更手段１０１に対して、原稿自動搬送装置により原稿が等倍の速度で移動するように設定する。同様に、解像度指示手段１０３は、２次解像度変換手段１０２に対して、副走査２００％変倍を行うように設定する。この後、実際に、原稿が移動して読取られた画像データは、主走査６００dpi、副走査６００dpiの画像となる。
【０１３１】
１次解像度変更手段１０１後、２次解像度変換手段１０２は、主走査、副走査に対して電気回路を使用して２００％変倍(１２００dpi)を行い、主走査１２００dpi×副走査１２００dpiの画像として、後段画像処理に転送する。
【０１３２】
このときの読取生産性は、変倍方式Ａの約２倍の生産性、つまり、約１／２の時間で読取ることができる。尚、実際には、読取り位置まで原稿を移動する時間や原稿を排出する時間があるため、正確に２倍にはならない。
【０１３３】
図２０は、本実施形態に係る画像処理装置の動作例を示す。変倍方式Ａが選択される場合について、上記図１５及び図２０を用いて説明する。
【０１３４】
ユーザの要求する画像データの解像度が主走査・副走査１２００dpiで、原稿種に文字モードが指定され、ＤＦに積置された片面原稿をスキャンする場合に、さらに高画質モードが指定された場合を例に挙げて、動作について説明する。
【０１３５】
解像度指示手段１０３は、操作部を通して１２００dpiという指示に対し、変倍切り替えの閾値である６００dpiと比較する（ステップＳ２００３）。さらに、高画質モードであるかを判断する（ステップＳ２００４）。この例では、拡大変倍の高画質モードが指定されている（ステップＳ２００４／はい）ので、変倍方式Ａの動作設定に移る。
【０１３６】
解像度指示手段１０３は、１次解像度変更手段１０１に対して、原稿自動搬送装置により原稿が等倍の１／２速度で移動するように設定する。同様に、解像度指示手段１０３は、２次解像度変換手段に対して、副走査１００％変倍を行うように設定する。この後、実際に、原稿が移動して読取られた画像データは、主走査６００dpi、副走査１２００dpiの画像となる。
【０１３７】
１次解像度変更手段１０１後、２次解像度変換手段１０２は、副走査の変倍を行わず、主走査のみ電気回路を使用して２００％変倍(１２００dpi)を行い、主走査１２００dpi×副走査１２００dpiの画像として、後段画像処理に転送する。
【０１３８】
このときの読取生産性は、上述した変倍方式Ｂの動作に比べて約１／２倍の生産性、つまり、約２の時間で読取ることになる。なお、実際には、読取り位置まで原稿を移動する時間や原稿を排出する時間があるため、正確に１／２倍にはならない。
【０１３９】
本実施形態により、上記実施形態１〜４における特定の原稿読取条件の縮小変倍の場合には読取生産性を向上できるが、拡大変倍率指定のときには逆に読取生産性が低下するという問題を解消することが可能となる。
【０１４０】
また、本実施形態の変倍方式Ｂを選択する動作例では、特定の原稿読取条件の片面読取のときの生産性は向上するが、読取解像度は等倍読取であるので、本来解像度を高くしてスキャンできない。また、生産性の向上よりも実質の読取解像度（高解像力）でスキャンしたいというユーザの要望には対応することができないという欠点が残る。しかし、解像度力重視の選択肢を設けることで、生産性の向上よりも実質の読取解像度でスキャンしたいという要望に対応することが可能となる。
【０１４１】
尚、各図のフローチャートに示す処理を、ＣＰＵ１６が実行するためのプログラムは本発明によるプログラムを構成する。このプログラムを記録するコンピュータ読取り可能な記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【０１４２】
以上好適な実施の形態に基づき具体的に説明したが、本発明は上述した画像処理装置に限定されるものではなく、その要旨を逸脱しない範囲で種々変更可能であるということは言うまでもない。
【図面の簡単な説明】
【０１４３】
【図１】本実施形態に係る画像処理装置の画像読取部の概略構成例を示す図である。
【図２】本実施形態に係る画像処理装置の電装制御の概略機能例を示すブロック図である。
【図３】本実施形態に係る画像処理装置の圧板読取モード時における画像読取部の構成例を示す図である。
【図４】本実施形態に係る画像処理装置の原稿搬送読取モード時における画像読取部の構成例を示す図である。
【図５】本実施形態に係る画像処理装置の読取信号処理部の最も基本的な構成例を示すブロック図である。
【図６】本実施形態に係る画像処理装置のアナログ処理を説明するための図である。
【図７】本実施形態に係る画像処理装置の画像データ処理部の構成例を示す図である。
【図８】本実施形態に係る画像処理装置の前段画像処理における画像処理の例を示す図である。
【図９】本実施形態に係る画像処理装置の後段画像処理における画像処理の例を示す図である。
【図１０】本実施形態に係る画像処理装置のγ変換処理における濃度調整を説明するための図である。
【図１１】本実施形態に係る画像処理装置のγ変換処理におけるルックアップテーブル変換の例を示す図である。
【図１２】本実施形態に係る画像処理装置の動作の概略構成例を示す図である。
【図１３】本実施形態に係る画像処理装置の動作例を示すフローチャートである。
【図１４】本実施形態に係る画像処理装置の動作例を示すフローチャートである。
【図１５】本実施形態に係る画像処理装置において、選択される変倍方式の例を説明するための図である。
【図１６】本実施形態に係る画像処理装置において、選択される変倍方式の例を説明するための図である。
【図１７】本実施形態に係る画像処理装置の動作例を示すフローチャートである。
【図１８】本実施形態に係る画像処理装置の動作例を示すフローチャートである。
【図１９】本実施形態に係る画像処理装置の動作例を示すフローチャートである。
【図２０】本実施形態に係る画像処理装置の動作例を示すフローチャートである。
【符号の説明】
【０１４４】
１    原稿読取部本体
２    原稿搬送部
３    原稿読取台
４    第１走行体
４ａ    光源
４ｂ    ミラー
５    第２走行体
５ａ、５ｂ    ミラー
６    レンズ
７    光電変換素子
８    ステッピングモータ
９    露光走査光学系
１０    ＳＤＦユニット
１１    原稿台
１２    ステッピングモータ
１３    原稿
１４    押さえ板
１５    白板
１６    ＣＰＵ
１７    光源ドライバ
１８    ＣＣＤ駆動部
１９    画像処理部
２０
２１    アナログビデオ処理部
２２    シューディング補正処理部
２５    スキャナ信号処理部
２６ａ    書込信号処理部
２６ｂ    レーザダイオード（ＬＤ）
２６ｃ    レーザダイオード駆動部
２７ａ    メモリ制御部
２７ｂ    メモリ
２８    走行体移動用モータドライバ
２９    分離ローラ
３０    搬送ローラ
３１    プリアンプ回路
３２    可変増幅回路
３３    Ａ／Ｄコンバータ
３４    黒演算回路
３５    シェーディング補正演算回路
３６    ラインバッファ
３７    シェーディング調整板
４０ａ    前段画像処理
４０ｂ    後段画像処理
４３ａ    バッファメモリコントローラ
４３ｂ    バッファメモリ
４４    ＣＩＳ
１０１    １次解像度変更手段
１０２    ２解像度変換手段
１０３    解像度指示手段
【図１】
2010114578.tif 000003
【図２】
2010114578.tif 000004
【図３】
2010114578.tif 000005
【図４】
2010114578.tif 000006
【図５】
2010114578.tif 000007
【図６】
2010114578.tif 000008
【図７】
2010114578.tif 000009
【図８】
2010114578.tif 000010
【図９】
2010114578.tif 000011
【図１０】
2010114578.tif 000012
【図１１】
2010114578.tif 000013
【図１２】
2010114578.tif 000014
【図１３】
2010114578.tif 000015
【図１４】
2010114578.tif 000016
【図１５】
2010114578.tif 000017
【図１６】
2010114578.tif 000018
【図１７】
2010114578.tif 000019
【図１８】
2010114578.tif 000020
【図１９】
2010114578.tif 000021
【図２０】
2010114578.tif 000022